(57)【要約】【課題】  音楽再生時に音楽再生機能と撮像機能とを効果的に連動させる。【解決手段】  撮像機能及び音楽再生機能を有する情報処理装置１において、パターン化部１１は、撮像手段１０によって撮影された画像をパターン化し、比較部１３は、パターン化部１１によってパターン化された画像パターンとパターン記憶部１２に記憶された画像パターンとを比較する。パターン記憶部１２には、画像パターンと音楽データを加工する際の音響効果とが対応付けられて記憶されており、撮影された画像の画像パターンとパターン記憶部１２の何れかの画像パターンとが一致した場合、音響処理部１５は、記録媒体１４に記録された音楽データが、上記一致した画像パターンに対応付けられた音響効果を示すように加工する。そして、音楽再生部１６は、この加工された音楽データを再生する。【選択図】  図１
2005070359.tif 000002
【特許請求の範囲】
【請求項１】
画像を撮影する撮像手段と、
上記撮像手段によって撮影された撮像画像をパターン化した画像パターンを生成するパターン化手段と、
複数の登録画像パターンと音楽データを加工する際の音響効果とが対応付けられて登録されたパターン記憶手段と、
上記パターン化手段によって生成された画像パターンと上記パターン記憶手段に登録されている各登録画像パターンとを比較する比較手段と、
上記比較手段による比較結果に応じて、記録媒体に記録されている音楽データを加工する音響処理手段と、
上記音響処理手段によって加工された音楽データを再生する音楽再生手段と
を備えることを特徴とする情報処理装置。
【請求項２】
上記パターン化手段は、上記撮像画像を所定数のブロックから構成され各ブロックの画素値を平均したブロック平均画像に変換し、全ブロックの画素値を所定の順序で並べた特徴ベクトルを上記画像パターンとして生成することを特徴とする請求項１記載の情報処理装置。
【請求項３】
上記音響処理手段は、上記パターン化手段によって生成された画像パターンと上記パターン記憶手段に登録されている一の登録画像パターンとが略々一致する場合、該一の登録画像パターンに対応付けられた音響効果に従って、上記記録媒体に記録されている音楽データを加工することを特徴とする請求項１記載の情報処理装置。
【請求項４】
上記パターン化手段によって生成された画像パターンと上記パターン記憶手段に登録されている登録画像パターンとが一致しない場合に、上記生成された画像パターンと、ユーザの設定した音響効果と、上記撮像画像のサムネイル画像と、上記記録媒体に記録されている一の音楽データとを対応付けて上記パターン記憶手段に登録する登録手段をさらに備えることを特徴とする請求項１記載の情報処理装置。
【請求項５】
各種画像を表示する表示手段をさらに備え、
上記音楽再生手段によって上記一の音楽データが再生される場合、上記表示手段には該一の音楽データに対応付けられたサムネイル画像又は上記撮像画像が表示される
ことを特徴とする請求項４記載の情報処理装置。
【請求項６】
上記記録媒体は、着脱可能とされていることを特徴とする請求項１記載の情報処理装置。
【請求項７】
画像を撮影する撮像工程と、
上記撮像工程にて撮影された撮像画像をパターン化した画像パターンを生成するパターン化工程と、
上記パターン化工程にて生成された画像パターンと、音楽データを加工する際の音響効果と対応付けられて登録されたパターン記憶手段に登録されている各登録画像パターンとを比較する比較工程と、
上記比較工程における比較結果に応じて、記録媒体に記録されている音楽データを加工する音響処理工程と、
上記音響処理工程にて加工された音楽データを再生する音楽再生工程と
を有することを特徴とする情報処理方法。
【請求項８】
上記パターン化工程では、上記撮像画像を所定数のブロックから構成され各ブロックの画素値を平均したブロック平均画像に変換し、全ブロックの画素値を所定の順序で並べた特徴ベクトルを上記画像パターンとして生成することを特徴とする請求項７記載の情報処理方法。
【請求項９】
上記音響処理工程では、上記パターン化工程にて生成された画像パターンと上記パターン記憶手段に登録されている一の登録画像パターンとが略々一致する場合、該一の登録画像パターンに対応付けられた音響効果に従って、上記記録媒体に記録されている音楽データを加工することを特徴とする請求項７記載の情報処理方法。
【請求項１０】
上記パターン化工程にて生成された画像パターンと上記パターン記憶手段に登録されている登録画像パターンとが一致しない場合に、上記生成された画像パターンと、ユーザの設定した音響効果と、上記撮像画像のサムネイル画像と、上記記録媒体に記録されている一の音楽データとを対応付けて上記パターン記憶手段に登録する登録工程をさらに有することを特徴とする請求項７記載の情報処理方法。
【請求項１１】
上記一の音楽データが再生される場合、該一の音楽データに対応付けられたサムネイル画像又は上記撮像画像が表示手段に表示される
ことを特徴とする請求項１０記載の情報処理方法。
【請求項１２】
上記記録媒体は、着脱可能とされていることを特徴とする請求項７記載の情報処理方法。
【請求項１３】
複数の原画像についてのサムネイル画像と、上記複数の原画像から得られた登録画像パターンと、音楽データを加工する際の音響効果とがそれぞれ対応付けられて登録されたパターン記憶手段と、
上記パターン記憶手段に登録された音響効果に従って、記録媒体に記録されている音楽データを加工する音響処理手段と、
上記音響処理手段によって加工された音楽データを再生する音楽再生手段とを備え、
上記音響処理手段は、選択されたサムネイル画像に対応付けられた音響効果に従って、再生する音楽データを加工する
ことを特徴とする情報処理装置。
【請求項１４】
上記音響処理手段は、上記再生する音楽データを加工する前に、上記選択されたサムネイル画像に対応付けられた音響効果に従って、該選択されたサムネイル画像に対応付けられた音楽データを加工し、
上記音楽再生手段は、加工後の上記選択されたサムネイル画像に対応付けられた音楽データを再生する
ことを特徴とする請求項１３記載の情報処理装置。
【請求項１５】
複数の原画像についてのサムネイル画像と、上記複数の原画像から得られた登録画像パターンと、音楽データを加工する際の音響効果とがそれぞれ対応付けられて登録されたパターン記憶手段から、所望のサムネイル画像を選択するサムネイル画像選択工程と、
上記所望のサムネイル画像に対応付けられた音響効果に従って、再生する音楽データを加工する音響処理工程と、
上記音響処理工程にて加工された上記音楽データを再生する音楽再生工程と
を有することを特徴とする情報処理方法。
【請求項１６】
上記音響処理工程にて上記音楽データを加工する前に、上記所望のサムネイル画像に対応付けられた音響効果に従って、該所望のサムネイル画像に対応付けられた音楽データを加工して再生する試聴工程をさらに有する
ことを特徴とする請求項１５記載の情報処理方法。
【発明の詳細な説明】
【技術分野】
【０００１】
本発明は、撮像機能及び音楽再生機能を有する情報処理装置及びその情報処理方法に関する。
【背景技術】
【０００２】
近年、デジタルカメラが普及すると共に、デジタルカメラの高機能化が進んでいる。そして、このデジタルカメラの有する各種機能の１つとして、音楽再生機能が挙げられる。このとき、デジタルカメラの撮像機能や画像再生機能と音楽再生機能とを別個の機能とするのではなく、これらを連動させることで、デジタルカメラをより魅力あるものとすることができると考えられる。
【０００３】
例えば、下記特許文献１には、画像のスライドショーの際にＢＧＭとして音楽再生による音響効果を付加する技術が提案されている。さらに、この特許文献１では、再生される音楽ジャンルに応じて単位画像の切り替え処理を設定することで、画像再生機能と音楽再生機能とをより効果的に連動させることができる。例えば、音楽ジャンルがロックの場合には、瞬間的に単位画像を切り替えることによりスピード感を実現し、音楽ジャンルがクラシックの場合には、フェードイン表示・フェードアウト表示することにより、曲調に合わせたスムーズな切り替えを実現する。
【０００４】
しかしながら、この特許文献１に記載の技術では、デジタルカメラの音楽再生機能によって画像再生機能を変化させること、例えば再生される音楽ジャンルによって単位画像の切り替え処理を変化させることはできるものの、デジタルカメラの撮像機能によって音楽再生機能を変化させること、例えば再生している音楽を現在の周囲の風景に相応しい音色に変化させること等はできず、撮像機能と音楽再生機能とを効果的に連動させているものとは言い難かった。
【０００５】
【特許文献１】特開２００１−３３９６８２号公報
【発明の開示】
【発明が解決しようとする課題】
【０００６】
ところで、近年、トラックピッチ１．６μｍでグルーブ記録、また変調方式がＥＦＭである初期のＭＤ（MiniDisc：商標）よりもさらに記録容量を上げた次世代ＭＤが開発されつつある。この次世代ＭＤとしては、従来の媒体（ディスクやカートリッジ）はそのままに、変調方式や論理構造などを変更してユーザエリア等を倍密度にし、記録容量を３００ＭＢに増加したＭＤ（以下、次世代ＭＤ１という。）や、外形、光学系は互換性を保ちながらも、トラックピッチを１．２５μｍに狭め、且つ例えばグルーブから磁壁移動検出（Domain Wall Displacement Detection：ＤＷＤＤ）によって記録マークを検出することにより、次世代ＭＤ１に比してさらに記録容量を増加したＭＤ（以下、次世代ＭＤ２という。）が挙げられる。
【０００７】
このような次世代ＭＤ１、次世代ＭＤ２の場合、記録容量が大きいため、音楽データの他、画像データ等についても記録することができる。したがって、次世代ＭＤ１、ＭＤ２を用いた音楽再生機器に撮像装置を設け、記録媒体に記録された音楽データを再生すると共に、撮影した画像データを同じ記録媒体に記録することが考えられる。しかしながら、このような撮像機能を有する音楽再生機器においても、上述した音楽再生機能を有するデジタルカメラの場合と同様に、撮像機能と音楽再生機能とを効果的に連動させる技術は提案されていないのが現状であった。
【０００８】
本発明は、このような従来の実情に鑑みて提案されたものであり、音楽再生時に音楽再生機能と撮像機能とを効果的に連動させる情報処理装置及びその方法を提供することを目的とする。
【課題を解決するための手段】
【０００９】
上述した目的を達成するために、本発明に係る情報処理装置は、画像を撮影する撮像手段と、上記撮像手段によって撮影された撮像画像をパターン化した画像パターンを生成するパターン化手段と、複数の登録画像パターンと音楽データを加工する際の音響効果とが対応付けられて登録されたパターン記憶手段と、上記パターン化手段によって生成された画像パターンと上記パターン記憶手段に登録されている各登録画像パターンとを比較する比較手段と、上記比較手段による比較結果に応じて、記録媒体に記録されている音楽データを加工する音響処理手段と、上記音響処理手段によって加工された音楽データを再生する音楽再生手段とを備える。
【００１０】
また、上述した目的を達成するために、本発明に係る情報処理方法は、画像を撮影する撮像工程と、上記撮像工程にて撮影された撮像画像をパターン化した画像パターンを生成するパターン化工程と、上記パターン化工程にて生成された画像パターンと、音楽データを加工する際の音響効果と対応付けられて登録されたパターン記憶手段に登録されている各登録画像パターンとを比較する比較工程と、上記比較工程における比較結果に応じて、記録媒体に記録されている音楽データを加工する音響処理工程と、上記音響処理工程にて加工された音楽データを再生する音楽再生工程とを有する。
【００１１】
このような情報処理装置及びその方法では、撮影されパターン化された画像パターンと、パターン記憶手段に登録されている各登録画像パターンとを比較し、その比較結果に応じて、記録媒体に記録されている音楽データを加工して再生する。
【００１２】
また、上述した目的を達成するために、本発明に係る情報処理装置は、複数の原画像についてのサムネイル画像と、上記複数の原画像から得られた登録画像パターンと、音楽データを加工する際の音響効果とがそれぞれ対応付けられて登録されたパターン記憶手段と、上記パターン記憶手段に登録された音響効果に従って、記録媒体に記録されている音楽データを加工する音響処理手段と、上記音響処理手段によって加工された音楽データを再生する音楽再生手段とを備え、上記音響処理手段は、選択されたサムネイル画像に対応付けられた音響効果に従って、再生する音楽データを加工する。
【００１３】
また、上述した目的を達成するために、本発明に係る情報処理方法は、複数の原画像についてのサムネイル画像と、上記複数の原画像から得られた登録画像パターンと、音楽データを加工する際の音響効果とがそれぞれ対応付けられて登録されたパターン記憶手段から、所望のサムネイル画像を選択するサムネイル画像選択工程と、上記所望のサムネイル画像に対応付けられた音響効果に従って、再生する音楽データを加工する音響処理工程と、上記音響処理工程にて加工された上記音楽データを再生する音楽再生工程とを有する。
【００１４】
このような情報処理装置及びその方法では、パターン記憶手段から所望のサムネイル画像を選択し、この所望のサムネイル画像に対応付けられた音響効果に従って、音楽データを加工して再生する。
【発明の効果】
【００１５】
本発明に係る情報処理装置及びその方法によれば、撮影された画像から生成された画像パターンと、パターン記憶手段に登録されている各登録画像パターンとを比較し、その比較結果に応じて、記録媒体に記録されている音楽データを加工して再生することにより、情報処理装置の撮像機能と音楽再生機能とを効果的に連動させると共に、記録媒体の音楽データに対して再生時の周囲の状況に相応しい音響効果を加えることが可能となる。
【００１６】
また、本発明に係る情報処理装置及びその方法によれば、パターン記憶手段から所望のサムネイル画像を選択し、この所望のサムネイル画像に対応付けられた音響効果に従って、音楽データを加工して再生することにより、情報処理装置の撮像機能と音楽再生機能とを効果的に連動させると共に、記録媒体の音楽データに対して選択したサムネイル画像の雰囲気を表すような音響効果を加えることが可能となる。
【発明を実施するための最良の形態】
【００１７】
以下、本発明を適用した具体的な実施の形態について、図面を参照しながら詳細に説明する。
【００１８】
先ず、本実施の形態における情報処理装置の概略構成を図１に示す。図１に示すように、本実施の形態における情報処理装置１は、周囲の画像を撮影する撮像部１０と、撮影された画像を後述のようにパターン化するパターン化部１１と、予め種々の画像パターンが記憶されたパターン記憶部１２と、パターン化部１１によってパターン化された画像パターンとパターン記憶部１２に記憶された画像パターンとを比較する比較部１３と、音楽データが記録された記録媒体１４と、該音楽データを後述のように加工する音響処理部１５と、加工された音楽データを再生する音楽再生部１６とから構成される。すなわち、情報処理装置１は、撮像部１０により撮像機能を有すると共に、音楽再生部１６により音楽再生機能を有する。
【００１９】
撮像部１０は、撮像及び結像に必要なＣＣＤ（Charge Coupled Device）等の機構部材及び電気部材から構成される。撮像部１０は、例えば音楽再生中にユーザからトリガが与えられた時点で、又は音楽再生中の任意の時点で自動的に、周囲の画像を撮影し、撮影した撮像画像をパターン化部１１に供給する。
【００２０】
パターン化部１１は、撮像部１０から供給された撮像画像をパターン化して画像パターンを生成する。具体的には、例えば図２に示すように、撮像画像を各ブロック内の画素値を平均した縦横Ｘ×Ｙブロックのブロック平均画像に変換する。さらに、パターン化部１１は、各ブロックのＲＧＢの色レベルを所定数の階層（例えば４階層）の何れかに分類する。そして、パターン化部１１は、ブロック毎のＲＧＢの色レベルを全ブロックについて所定の順序で並べた特徴ベクトルを現在の画像パターンとし、この特徴ベクトルを比較部１２に供給する。例えば、図２に示すようなブロック平均画像の場合、以下の式（１）に示すような特徴ベクトルｖが生成される。なお、必ずしも所定数の階層（例えば４階層）の何れかに分類しなくてもよく、各ブロックのＲＧＢの色レベルをそのまま特徴ベクトルに含めるようにしても構わない。
【００２１】
【数１】
2005070359.tif 000003
【００２２】
比較部１３は、パターン化部１１から供給された画像パターンを示す特徴ベクトルと予めパターン記憶部１２に記憶されている各登録画像パターンを示す特徴ベクトルとを比較し、特徴ベクトル同士の類似度が所定の閾値以上であるか否かを判別する。ここで、パターン記憶部１２には、図３に示すようなパターンテーブルが記憶されており、各画像パターンには、音楽データを加工する際のエフェクト（音響効果）と、その画像パターンの元になったサムネイル画像とが対応付けられている。この他、サムネイル画像の原画像をさらに対応付けるようにしても構わない。このエフェクトとしては、例えばバスブースト、トレブル、ディレイ、リバーブ、コーラス、ホール、ライブ、ロック、クラシックなどが挙げられる。
【００２３】
比較部１３は、特徴ベクトル同士の類似度が所定の閾値以上である場合には一致しているものと見なし、一致した登録画像パターンに対応付けられたエフェクトを示す情報を音響処理部１５に供給する。一方、特徴ベクトル同士の類似度が全て所定の閾値未満である場合、すなわち現在の画像パターンと類似する登録画像パターンがパターン記憶部１２に登録されていない場合には、音楽データに後述するエフェクト処理を施さず、そのまま出力する。なお、この際、ユーザにその画像パターンを登録するか否かを確認するような表示を行うようにしても構わない。ユーザがその画像パターンを登録する場合には、さらに対応付けるエフェクトをユーザに設定させることで、新たな登録画像パターンをパターンテーブルに追加することができる。
【００２４】
記録媒体１４は、例えばＣＤ（Compact Disc）やＭＤ（MiniDisc：商標）等であり、音楽データが記録されている。なお、前述した次世代ＭＤ１や次世代ＭＤ２の場合には、撮像部１０で撮影した撮像画像を記録媒体１４に記録することができるため、情報処理装置１の記録媒体１４として好適である。音響処理部１５は、この記録媒体１４に記録された音楽データに対して、比較部１３から指定されたエフェクト処理を施し、音楽再生部１６は、このエフェクト処理の施された音楽データを出力する。
【００２５】
上述した情報処理装置１の処理手順を図４のフローチャートに示す。先ずステップＳ１において、記録媒体１４に記録された音楽データの再生を開始し、ステップＳ２において、ユーザからトリガが与えられたか否かを判別する。ユーザからトリガが与えられた場合（Yes）にはステップＳ３に進み、トリガが与えられていない場合（No）にはステップＳ８に進む。
【００２６】
続いてステップＳ３において、撮像手段１０によって周囲の画像を撮影する。ステップＳ４では、撮像画像から画像パターンを生成し、ステップＳ５では、その画像パターンと予めパターン記憶部１２に記憶されている各登録画像パターンとを比較する。そして、ステップＳ６では、生成した画像パターンと略々一致する登録画像パターンが存在するか否かを判別し、存在する場合（Yes）にはステップＳ７に進み、生成した画像パターンと一致する登録画像パターンに対応付けられた音響効果に従って音楽データを加工する。一方、一致する登録画像パターンが存在しない場合（No）にはステップＳ８に進み、音楽データの最後まで再生したか否かを判別する。最後まで再生していない場合（No）にはステップＳ１に戻り、最後まで再生した場合（Yes）には処理を終了する。
【００２７】
以上説明したように、本実施の形態における情報処理装置１によれば、撮像部１０で撮影された画像から生成された画像パターンと、パターン記憶部１２に登録されている各登録画像パターンとを比較し、その比較結果に応じて、記録媒体１４に記録されている音楽データを加工して再生することにより、情報処理装置１の撮像機能と音楽再生機能とを効果的に連動させると共に、記録媒体１４の音楽データに対して再生時の周囲の状況に相応しい音響効果を加えることが可能となる。
【００２８】
なお、上述した実施の形態では、生成した画像パターンと一致する登録画像パターンが存在した場合には、自動的に音楽データに対してその登録画像パターンに対応付けられたエフェクト処理を施すものとして説明したが、これに限定されるものではなく、エフェクト処理を施すか否かをユーザに確認するようにしても構わない。この場合、例えばパターン記憶部１２のパターンテーブルに予め登録されているサムネイル画像、或いはサムネイル画像の原画像を表示し、ユーザに確認を促すことができる。
【００２９】
ここで、上述した実施の形態では、パターンテーブルの各画像パターンには、音楽データを加工する際のエフェクトと、その画像パターンの元になったサムネイル画像とが対応付けられているものとして説明したが、図５に示すように、さらにその画像パターンの登録時に再生していた音楽データを対応付け、音楽のジャケット画像のように用いても構わない。この場合、予め登録されていた画像パターンについては、デフォルトの音楽データが対応付けられる。これにより、音楽データを再生する場合にサムネイル画像やその原画像を表示させることができ、ユーザは、そのときの情景を思い出しながら音楽を鑑賞することができる。
【００３０】
また、音楽データをダウンロードした場合等には、その音楽データに対して所望のサムネイル画像を対応付けること、すなわち所望のサムネイル画像（又はその原画像）をその音楽データのジャケット画像とすることも可能である。この場合、パターンテーブルの所望のサムネイル画像に対応付けられた音楽データをダウンロードした音楽データと置き換えることにより、次回以降その音楽データを再生する際に、所望のサムネイル画像又はその原画像を表示させながら、音楽を鑑賞することができる。
【００３１】
また、ある音楽データの再生中に、パターンテーブルのサムネイル画像から所望のサムネイル画像をユーザに選択させ、ユーザが選択したサムネイル画像に対応付けられたエフェクト処理をその音楽データに対して施すようにすることもできる。この場合、例えば選択したサムネイル画像に対応付けられている音楽データに対して、同様にそのサムネイル画像に対応付けられているエフェクト処理を施してユーザに試聴させ、そのエフェクト処理でよければ、再生中であった音楽データに対してそのエフェクト処理を施す。これにより、再生中であった音楽データに対して、選択したサムネイル画像の雰囲気を表すようなエフェクト処理を施すことが可能となる。
【００３２】
この場合における情報処理装置１の処理手順を図６のフローチャートに示す。先ずステップＳ１０において、記録媒体１４に記録された音楽データの再生を開始し、ステップＳ１１において、ユーザが所望のサムネイル画像を選択したか否かを判別する。ユーザが所望のサムネイル画像を選択した場合（Yes）にはステップＳ１２に進み、選択していない場合（No）にはステップＳ１５に進む。
【００３３】
続いてステップＳ１２において、選択したサムネイル画像に対応付けられている音楽データに対して、同様にそのサムネイル画像に対応付けられているエフェクト処理を施して、ユーザに試聴させる。
【００３４】
ステップＳ１３では、ユーザからそのエフェクトでよいというトリガが与えられたか否かを判別する。ユーザからトリガが与えられた場合（Yes）にはステップＳ１４に進み、元々再生中であった音楽データに対してそのエフェクト処理を施す。一方、ユーザからトリガが与えられていない場合（No）にはステップＳ１５に進む。
【００３５】
そしてステップＳ１５では、音楽データの最後まで再生したか否かを判別し、最後まで再生していない場合（No）にはステップＳ１０に戻り、最後まで再生した場合（Yes）には処理を終了する。
【００３６】
なお、エフェクト処理は、ユーザがサムネイル画像を選択した回に限り再生中の音楽データに対して施すものとしてもよく、その回に限らずそれ以降はその音楽データに対してエフェクト処理を施すものとしてもよい。後者の場合、例えば図７に示すように、エフェクトと音楽データとを対応付けたテーブルをさらに保持することができる。
【００３７】
以上、本発明を実施するための最良の形態について説明したが、本発明は上述した実施の形態のみに限定されるものではなく、本発明の要旨を逸脱しない範囲において種々の変更が可能であることは勿論である。
【産業上の利用可能性】
【００３８】
撮像機能と音楽再生機能とを有する情報処理装置において、撮像機能と音楽再生機能とを効果的に連動させ、音楽データの再生時に該音楽データに対して周囲の状況に相応しい音響効果を加えることが可能となる。
【図面の簡単な説明】
【００３９】
【図１】本実施の形態における情報処理装置の概略構成を説明する図である。
【図２】同情報処理装置のパターン化部で生成される２次元パターンを示す図である。
【図３】同情報処理装置のパターン記憶部に登録されているパターンテーブルの一例を示す図である。
【図４】同情報処理装置の処理手順を説明するフローチャートである。
【図５】各登録画像パターンにさらに音楽データを対応付ける場合のパターンテーブルの一例を示す図である。
【図６】選択したサムネイル画像に対応付けられたエフェクト処理を再生中の音楽データに対して施す場合の情報処理装置の処理手順を説明するフローチャートである。
【図７】エフェクトと音楽データとが対応付けられたテーブルの一例を示す図である。
【符号の説明】
【００４０】
１  情報処理装置、１０  撮像部、１１  パターン化部、１２  パターン記憶部、１３  比較部、１４  記録媒体、１５  音響処理部、１６  音楽再生部
【図１】
2005070359.tif 000004
【図２】
2005070359.tif 000005
【図３】
2005070359.tif 000006
【図４】
2005070359.tif 000007
【図５】
2005070359.tif 000008
【図６】
2005070359.tif 000009
【図７】
2005070359.tif 000010